(57)【要約】【課題】旅行と密接に結びついた付加価値の高いプリントサービスを提供する。【解決手段】本発明によるプリントシステムは、複数の旅行先識別コードの各コードに各々が対応づけられた複数のプリント加工用データを蓄積する手段（ａ）と、旅行先識別コードを利用者に入力させる手段（ｂ）と、前記手段（ｂ）により入力された旅行先識別コードを取得する手段（ｃ）と、複数の撮影画像データを取得する手段（ｄ）と、前記複数のプリント加工用データのうち前記手段（ｃ）により取得された旅行先識別コードに対応づけられたプリント加工用データに基づいて前記複数の撮影画像データを加工する手段（ｅ）とを備える、ことを特徴とする。【選択図】図１
2008191932.tif 000002
【特許請求の範囲】
【請求項１】
複数の旅行先識別コードの各コードに各々が対応づけられた複数のプリント加工用データを蓄積する手段（ａ）と、
旅行先識別コードを利用者に入力させる手段（ｂ）と、
前記手段（ｂ）により入力された旅行先識別コードを取得する手段（ｃ）と、
複数の撮影画像データを取得する手段（ｄ）と、
前記複数のプリント加工用データのうち前記手段（ｃ）により取得された旅行先識別コードに対応づけられたプリント加工用データに基づいて前記複数の撮影画像データを加工する手段（ｅ）とを備える、
ことを特徴とするプリントシステム。
【請求項２】
請求項１において、
前記複数の旅行先識別コードの各々が示す旅行において訪問する観光地および訪問日時を示す日程情報を記憶する手段（ｆ）をさらに備え、
前記複数のプリント加工用データの各々は、対応する旅行先識別コードが示す旅行における複数の観光地のいずれかに各々が関連づけられている複数の観光地画像データを含み、
前記手段（ｄ）により取得される複数の撮影画像データの各々は、その撮影日時を示す情報を含み、
前記手段（ｅ）は、
前記手段（ｃ）により取得された旅行先識別コードが示す旅行において訪問する観光地および訪問日時を前記日程情報を参照して抽出する手段（ｅ１）と、
前記手段（ｃ）により取得された旅行先識別コードに対応づけられているプリント加工用データの中から、前記手段（ｅ１）により抽出された観光地に関連づけられている観光地画像データを取得する手段（ｅ２）と、
前記手段（ｅ２）により取得された観光地画像データと、前記手段（ｅ１）により抽出された訪問日時とを関連づける手段（ｅ３）と、
前記手段（ｄ）により取得された複数の撮影画像データ、および、前記手段（ｅ２）により取得された観光地画像データを、それぞれに関連づけられている時刻情報に基づいて時系列に並べてアルバムプリント用データを作成する手段（ｅ４）とを含む、
ことを特徴とするプリントシステム。
【請求項３】
請求項１または２において、
前記旅行先識別コードはクーポン番号に埋め込まれている、
ことを特徴とするプリントシステム。
【請求項４】
請求項２において、
前記アルバムプリント用データは、写真プリントの際に少なくとも２以上の画像が同一の記録紙に形成されるように作成される、
ことを特徴とするプリントシステム。
【請求項５】
請求項１において、
前記複数の旅行先識別コードの各々について当該識別コードが示す旅行の日程に基づいて設定された所定の日時を記憶する手段（ｇ）と、
前記手段（ｃ）により旅行先識別コードが取得された日時（第１の日時）を取得する手段（ｈ）と、
前記手段（ｃ）により取得された旅行先識別コードについて設定されている日時（第２の日時）を前記手段（ｇ）を参照して取得する手段（ｉ）と、
前記第１の日時と前記第２の日時との比較結果に応じて前記手段（ｅ）による加工処理を禁止する手段（ｊ）とをさらに備える、
ことを特徴とするプリントシステム。
【発明の詳細な説明】
【技術分野】
【０００１】
本発明は、デジタルカメラ等で撮影された画像データの写真プリントサービスを提供するためのシステムに関する。
【背景技術】
【０００２】
ツアーやハネムーンなどの旅行に行くと旅行者は必ずといっていいほど写真を撮影し、その枚数も非常に多くなる。最近では旅行者の多くがフィルムカメラではなくデジタルカメラやカメラ付き携帯電話を使用して写真を撮影している。また、撮影画像を写真プリントする際にネットプリントサービスを利用する人も増えている。
【特許文献１】特開2004-259006号公報
【特許文献２】特開2004-221647号公報
【発明の開示】
【発明が解決しようとする課題】
【０００３】
ネットプリントサービスはインターネット上で簡単にプリント注文ができるサービスであり、最近では多数のサービスサイトが存在している。それゆえ、旅行の撮影画像をプリント注文する際にどのサービスサイトを選択すべきか困惑しがちである。また、通常の写真プリントサービスだけでなく、自分が行った旅行に結びついた付加価値のあるサービスが望まれている。
【０００４】
本発明の目的は、旅行と密接に結びついた付加価値の高いプリントサービスを提供することである。
【課題を解決するための手段】
【０００５】
本発明によるプリントシステムは、複数の旅行先識別コードの各コードに各々が対応づけられた複数のプリント加工用データを蓄積する手段（ａ）と、旅行先識別コードを利用者に入力させる手段（ｂ）と、前記手段（ｂ）により入力された旅行先識別コードを取得する手段（ｃ）と、複数の撮影画像データを取得する手段（ｄ）と、前記複数のプリント加工用データのうち前記手段（ｃ）により取得された旅行先識別コードに対応づけられたプリント加工用データに基づいて前記複数の撮影画像データを加工する手段（ｅ）とを備える、ことを特徴とする。
【０００６】
また、上記プリントシステムにおいて、前記複数の旅行先識別コードの各々が示す旅行において訪問する観光地および訪問日時を示す日程情報を記憶する手段（ｆ）をさらに備え、前記複数のプリント加工用データの各々は、対応する旅行先識別コードが示す旅行における複数の観光地のいずれかに各々が関連づけられている複数の観光地画像データを含み、前記手段（ｄ）により取得される複数の撮影画像データの各々は、その撮影日時を示す情報を含み、前記手段（ｅ）は、前記手段（ｃ）により取得された旅行先識別コードが示す旅行において訪問する観光地および訪問日時を前記日程情報を参照して抽出する手段（ｅ１）と、前記手段（ｃ）により取得された旅行先識別コードに対応づけられているプリント加工用データの中から、前記手段（ｅ１）により抽出された観光地に関連づけられている観光地画像データを取得する手段（ｅ２）と、前記手段（ｅ２）により取得された観光地画像データと、前記手段（ｅ１）により抽出された訪問日時とを関連づける手段（ｅ３）と、前記手段（ｄ）により取得された複数の撮影画像データ、および、前記手段（ｅ２）により取得された観光地画像データを、それぞれに関連づけられている時刻情報に基づいて時系列に並べてアルバムプリント用データを作成する手段（ｅ４）とを含む、ことを特徴とする。
【０００７】
また、上記プリントシステムにおいて、前記旅行先識別コードはクーポン番号に埋め込まれている、ことを特徴とする。
【０００８】
また、上記プリントシステムにおいて、前記アルバムプリント用データは、写真プリントの際に少なくとも２以上の画像が同一の記録紙に形成されるように作成される、ことを特徴とする。
【０００９】
また、上記プリントシステムにおいて、前記複数の旅行先識別コードの各々について当該識別コードが示す旅行の日程に基づいて設定された所定の日時を記憶する手段（ｇ）と、前記手段（ｃ）により旅行先識別コードが取得された日時（第１の日時）を取得する手段（ｈ）と、前記手段（ｃ）により取得された旅行先識別コードについて設定されている日時（第２の日時）を前記手段（ｇ）を参照して取得する手段（ｉ）と、前記第１の日時と前記第２の日時との比較結果に応じて前記手段（ｅ）による加工処理を禁止する手段（ｊ）とをさらに備える、ことを特徴とする。
【発明の効果】
【００１０】
本発明では、旅行先識別コードが埋め込まれたプリントクーポンを利用するため、プリントサービスを迷わず利用できるとともに利便性が良い。また、単なる写真プリントサービスだけではなく、実際に旅行した場所や行程に基づいた各種関連商品（ご当地マップ、ご当地プリント、オリジナルジャケットプリントなど）を提供できる。
【発明を実施するための最良の形態】
【００１１】
［プリントシステム］
本発明の実施形態によるプリントシステムの全体構成を図１に示す。このシステムにより提供されるサービスの概要は次の通りである。ネットプリントサービスサイトと提携している旅行会社はツアー参加者にプリントクーポン１０を発行する。プリントクーポン１０を受け取ったツアー参加者は、ネットプリントサービスサイトへアクセスしプリントクーポン１０に記載のクーポン番号を入力する。これにより写真プリントサービスについて優遇（たとえば所定枚数のプリント料金が無料になる等）を受けることができる。さらに本システムでは、クーポン番号にツアーコードが埋め込まれており、単なる写真プリントサービスだけではなく、ご当地マップ、ご当地プリント、オリジナルジャケットプリントなど、旅行先と密接に結びついた付加価値の高いプリントサービスが提供される。ネットプリントサービスサイト上で注文した写真のプリントは提携のプリント専門店において行われ、できあがった写真プリントは最寄りのプリント専門店やコンビニで受け取ったり、宅配便やメール便により自宅で受け取ることができる。
【００１２】
［プリントクーポン１０］
旅行会社がツアー参加者に発行するプリントクーポン１０にはクーポン番号が記載されている。このクーポン番号には、そのツアー参加者が申し込んだツアーのツアーコードが埋め込まれている。旅行会社のサーバ１１０は、発行したプリントクーポン１０のクーポン番号とツアーコードとを対応づけた対応表１２０を作成し記憶する。さらに旅行会社のサーバ１１０は、対応表１２０をインターネットを介してネットプリントサービスサイトのサーバ２１０に送信する。ネットプリントサービスサイトのサーバ２１０は、受信した対応表１２０を記憶する。
【００１３】
［加工用データベース２２０］
上述のように本システムでは、旅行先と密接に結びついた付加価値の高いプリントサービスが提供される。このプリントサービスを提供するため、加工用データベース２２０にはツアーコードごとに加工用データが用意されている。加工用データは、ツアーコードが示す旅行先（ハワイ、ニューヨークなど）と密接に結びついたプリントサービス（インデックスプリント、フレームプリント、観光地画像、ジャケットプリント、ポストカードなど）を提供するためのものである。
【００１４】
［旅行日程データベース２３０］
また本システムでは、旅行日程と密接に結びついたプリントサービスが提供される。このプリントサービスを提供するため、旅行日程データベース２３０には各ツアーコードの日程情報が格納されている。ネットプリントサービスサイトのサーバ２１０は、各ツアーコードの旅行日程を旅行会社のサーバ１１０からインターネット経由で取得し、旅行日程データベース２３０に記憶する。なお、各ツアーコードの日程情報と実際の旅行の日程とにずれが生じた場合には適宜変更することが可能になっている。
【００１５】
［利用制限情報２４０］
本システムでは、上記プリントサービスを提供する期間を各ツアーの日程に基づいて制限している。このため、各ツアーコードごとに利用制限のために設定された日時が利用制限情報２４０として記憶されている。
【００１６】
［ネットプリントサービスサイトへのアクセス］
次に、ネットプリントサービスサイトによりツアー参加者に提供されるサービスの流れについて説明する。
【００１７】
ツアー参加者はパソコン２０によりネットプリントサービスサイトにアクセスする。すると、プリントクーポン１０のクーポン番号を入力する画面がパソコン２０のディスプレイに表示される。ツアー参加者がクーポン番号を入力するとサーバ２１０は対応表１２０を検索し、そのクーポン番号と同じ番号に対応づけられているツアーコードを抽出する。ここでは、図２に示すように、ツアーコード（ＴＣ１００）が抽出されたものとする。
【００１８】
次にサーバ２１０は、抽出したツアーコードに対応する設定日時を利用制限情報２４０の中から抽出する。ここでは、図２に示すように、ツアーコード（ＴＣ１００）に対する設定日時（１月１日１２：００）が抽出されたものとする。
【００１９】
次にサーバ２１０は、抽出した設定日時と現在の日時とを比較する。図２に示すように、現在の日時（１月４日２０：００）が設定日時（１月１日１２：００）よりも後の場合には、各種サービス提供ページへのログインを許可し、ツアー参加者のパソコン２０のディスプレイに各種サービス提供ページが表示される。一方、現在の日時（１月１日８：００）が設定日時（１月１日１２：００）より前の場合には、各種サービス提供ページへのログインは許可されず、ツアー参加者は各種プリントサービスを利用できない。このようにすることで、ツアー参加前にはサービスを利用できないようにする等のようにサービス利用を制限することができる。なお、設定日時としてツアー開始〜終了後１ヶ月などの一定期間を設定してもよい。
【００２０】
各種サービス提供ページへのログインを許可されたツアー参加者は、写真プリントを希望する撮影画像データをアップロードする。ツアー参加者は、通常の写真プリント注文だけでなく以下に説明するような各種サービスを選択できる。
【００２１】
［インデックスプリント、フレームプリント］
加工用データの中には、インデックスプリントやフレームプリントを提供するためのテンプレートが用意されている。これらのテンプレートは、図３に示すように、ツアー名、旅行先のシンボル的な画像などにより装飾されている。これらテンプレートの所定領域にツアー参加者の撮影画像が配置されたインデックスプリント、フレームプリントが提供される。
【００２２】
［観光地画像］
また、加工用データの中には観光地画像が用意されている。観光地画像は、図４に示すように、ツアーコード（ＴＣ１００）の旅行先（ハワイ）の観光地（Ａ海岸、Ｂ島など）ごとに、関連する景勝地写真（プロカメラマンが撮影したもの）、観光マップなどが用意されている。ツアー旅行中にうまく撮影できなかった写真、写真の整理用として記念となる写真などの観点から所望の観光地画像を選択してプリント注文ができる。このような観光地画像を提供することにより、旅行の記念アルバムとしての演出効果を高めることができる。
【００２３】
さらに、観光地画像は、旅行日程データベース２３０に格納されているツアー日程情報の訪問日時に対応づけられる。たとえば、図４に示すように、Ａ海岸の観光地画像はツアーＴＣ１００における訪問日時「１月１日１２：００」に対応づけられ、同様にＢ島の観光地画像は「１月１日１４：００」に対応づけられる。そして、図４に示すように、選択された観光地画像と旅行者自身の撮影画像とが時系列に並べられたアルバムデータ（アルバムプリント用データ）が提供される。なお、旅行者の撮影画像データにはその撮影日時の情報が属性情報として含まれているものとする。
【００２４】
［ジャケットプリント］
また、加工用データの中には、ジャケットプリントを提供するためのテンプレートが用意されている。このテンプレートは、図５に示すように、ツアー名、旅行先のシンボル的な画像などにより装飾されている。また、ジャケットに配置する画像を加工用データの観光地画像、旅行者自身の撮影画像の中から選ぶこともでき、その旅行にオリジナルのアルバムジャケットが提供される。
【００２５】
［ポストカード］
また、加工用データの中には、ポストカードを提供するためのテンプレートが用意されている。このテンプレートは新婚旅行用に設けられているものである。このテンプレートは、図６に示すように、はがき×２倍サイズになっている。表面用の領域にはウェディング写真をはめ込み合成する領域、送付先を記入する領域、自由にコメントを記入できる領域が形成されている。裏面用の領域には、新婚旅行中に撮影した各画像を時系列で配置する領域、旅行経路を示すマップを配置する領域、自由にコメントを記入できる領域が設けられている。このテンプレートを使用することにより、実際の新婚旅行の写真をその行程に従った時系列で描画する新しい形の結婚報告はがきが作成できる。なお、結婚報告はがきは一例であり近況報告などにも適用できる。
【００２６】
［写真プリント注文］
上記各種サービスにより得られたジャケットデータ、アルバムデータなどは注文情報２５０として記録される。注文情報２５０はプリント専門店のサーバ３１０に送信される。プリント専門店では、この注文情報に応じて写真処理装置３２０でプリント処理が行われる。できあがった写真プリントは、通常の写真プリント（旅行中に撮影した写真を単にプリントしたもの）ではなく、旅行と密接に密接に結びついたアルバムジャケット、インデックスプリント、フレームプリント、観光マップ等が含まれた非常に付加価値の高いものである。
【産業上の利用可能性】
【００２７】
本発明によるプリントクーポンを利用した写真プリントサービスは、ツアー旅行やハネムーン旅行などに適用すれば有用である。
【図面の簡単な説明】
【００２８】
【図１】本発明の実施形態によるプリントシステムの全体構成を示す図である。
【図２】ネットプリントサービスサイトへのアクセス手順を説明するための図である。
【図３】本実施形態のプリントシステムにおいて提供されるインデックスプリント、フレームプリントの例を示す図である。
【図４】本実施形態のプリントシステムにおいて提供される観光地画像の例を示す図である。
【図５】本実施形態のプリントシステムにおいて提供されるジャケットプリントの例を示す図である。
【図６】本実施形態のプリントシステムにおいて提供されるポストカードの例を示す図である。
【符号の説明】
【００２９】
１０  プリントクーポン
２０  パソコン
１１０  サーバ
１２０  対応表
２１０  サーバ
２２０  加工用データベース
２３０  旅行日程データベース
２４０  利用制限情報
２５０  注文情報
３１０  サーバ
３２０  写真処理装置
【図１】
2008191932.tif 000003
【図２】
2008191932.tif 000004
【図３】
2008191932.tif 000005
【図４】
2008191932.tif 000006
【図５】
2008191932.tif 000007
【図６】
2008191932.tif 000008